(57)【要約】【解決手段】太陽光発電装置が開示される。太陽光発電装置は、互いに対向される第１透明基板及び第２透明基板と、前記第１透明基板及び前記第２透明基板の間に介されて、前記第１透明基板に対して垂直であるか、または傾斜になる複数個の太陽電池らと、及び前記太陽電池らをそれぞれ互いに連結する複数個の接続部材らを含む。太陽光発電装置は、太陽電池らを透明基板に傾斜になるように配置させて、発電効率を向上させるだけでなく、透過領域の面積を増加させることができる。【選択図】図１
2013516065.tif 000002
【特許請求の範囲】
【請求項１】
互いに対向される第１透明基板及び第２透明基板と、
前記第１透明基板及び前記第２透明基板の間に介されて、前記第１透明基板に対して垂直であるか、または傾斜になる複数個の太陽電池らと、及び
前記太陽電池らをそれぞれ互いに連結する複数個の接続部材らを含む太陽光発電装置。
【請求項２】
前記第１透明基板及び前記第２透明基板の間に介されて、前記太陽電池らを取り囲む密封部材を含むことを特徴とする請求項１に記載の太陽光発電装置。
【請求項３】
前記密封部材は、前記第１透明基板及び前記第２透明基板より一層高い屈折率を有することを特徴とする請求項２に記載の太陽光発電装置。
【請求項４】
前記密封部材は、前記太陽電池らの間に介されて、前記太陽電池らに密着されることを特徴とする請求項２に記載の太陽光発電装置。
【請求項５】
前記密封部材は、光硬化性樹脂または熱硬化性樹脂を含むことを特徴とする請求項２に記載の太陽光発電装置。
【請求項６】
前記太陽電池らは、
支持基板と、
前記支持基板上に配置される裏面電極層と、
前記裏面電極層上に配置される光吸収層と、
前記光吸収層上に配置されるウィンドウ層と、及び
前記ウィンドウ層上に配置される複数個のグリッド電極らを含むことを特徴とする請求項１に記載の太陽光発電装置。
【請求項７】
前記光吸収層は、前記裏面電極層の一部を露出することを特徴とする請求項６に記載の太陽光発電装置。
【請求項８】
前記太陽電池らは、互いに直列で連結されることを特徴とする請求項１に記載の太陽光発電装置。
【請求項９】
太陽電池らは、
導電基板と、
前記導電基板上に配置される光吸収層と、
前記光吸収層上に配置されるウィンドウ層と、及び
前記ウィンドウ層上に配置されるグリッド電極らを含んで、
前記接続部材は、前記導電基板または前記グリッド電極らに連結されることを特徴とする請求項１に記載の太陽光発電装置。
【請求項１０】
前記太陽電池らは、フレキシブルであることを特徴とする請求項１に記載の太陽光発電装置。
【請求項１１】
前記太陽電池らは、一方向に延長される形状を有して、前記一方向に延長されるグリッド電極を含むことを特徴とする請求項１に記載の太陽光発電装置。
【請求項１２】
第１透明基板と、
前記第１透明基板上に配置されて、前記第１透明基板に対して交差する複数個の太陽電池らと、及び
前記第１透明基板上に配置されて、前記太陽電池らを支持する支持部材を含む太陽光発電装置。
【請求項１３】
前記支持部材は透明で、前記太陽電池ら及び前記第１透明基板に付着されることを特徴とする請求項１２に記載の太陽光発電装置。
【請求項１４】
前記太陽電池ら及び前記支持部材を覆う第２透明基板を含んで、
前記支持部材は、前記第１透明基板及び前記第２透明基板に密着されることを特徴とする請求項１２に記載の太陽光発電装置。
【請求項１５】
前記太陽電池らを直列または並列で連結させる接続部材を含むことを特徴とする請求項１２に記載の太陽光発電装置。
【請求項１６】
第１透明基板と、
前記第１透明基板に配置されて、前記第１透明基板と交差して、入射される太陽光を電気エネルギーに変換させる複数個の発電部と、及び
前記第１透明基板に対向して、前記発電部らを覆う第２透明基板を含む太陽光発電装置。
【請求項１７】
前記発電部らは、
第１電極と、
前記第１電極上に配置される光吸収層と、及び
前記光吸収層上に配置される第２電極と、を含むことを特徴とする請求項１６に記載の太陽光発電装置。
【請求項１８】
前記発電部らを互いに連結させる接続部材を含んで、
前記接続部材は、前記第１電極または前記第２電極に接続されることを特徴とする請求項１７に記載の太陽光発電装置。
【請求項１９】
前記発電部ら及び前記第１透明基板の間の角度は、およそ４５゜乃至およそ８５゜であることを特徴とする請求項１６に記載の太陽光発電装置。
【請求項２０】
前記発電部及び前記第１透明基板の間の角度は、およそ９０゜であることを特徴とする請求項１６に記載の太陽光発電装置。
【発明の詳細な説明】
【技術分野】
【０００１】
実施例は、太陽光発電装置に関するものである。
【背景技術】
【０００２】
光電変換効果を利用して光エネルギーを電気エネルギーに変換する太陽光発電モジュールは、地球環境の保全に寄与する無公害エネルギーを得る手段として広く使用されている。
【０００３】
太陽電池の光電変換効率が改善されることによって、太陽光発電モジュールを具備した多くの太陽光発電システムが住居用途及び商業建物の外装材にまで設置されることに至った。
【発明の概要】
【発明が解決しようとする課題】
【０００４】
実施例は、広い透過領域及び向上された発電効率を有して、建物の外壁及び戸障子などに使用されることができる太陽光発電装置を提供しようとする。
【課題を解決するための手段】
【０００５】
一実施例による太陽光発電装置は、お互いに対向される第１透明基板及び第２透明基板と、前記第１透明基板及び前記第２透明基板との間に介されて、前記第１透明基板に対して垂直であるか、または傾斜になる複数個の太陽電池らと、及び前記太陽電池らをそれぞれお互いに連結する複数個の接続部材らを含む。
【０００６】
一実施例による太陽光発電装置は、第１透明基板と、該第１透明基板上に配置されて、前記第１透明基板に対して交差する複数個の太陽電池と、及び前記第１透明基板上に配置されて、前記太陽電池らを支持する支持部材を含む。
【０００７】
一実施例による太陽光発電装置は、第１透明基板と、該第１透明基板に配置されて、前記第１透明基板と交差して、入射される太陽光を電気エネルギーに変換させる複数個の発電部らと、及び前記第１透明基板に対向して、前記発電部らを覆う第２透明基板と、を含む。
【発明の効果】
【０００８】
実施例による太陽光発電装置は、透明基板に垂直または傾斜になる太陽電池を含む。これによって、実施例による太陽光発電装置は、広い透過領域を有する。
【０００９】
また、実施例による太陽光発電装置が戸障子で使用される場合、外部から入射される太陽光は効率的に太陽電池に入射されることができる。すなわち、戸障子は立てられて使用されるために、太陽電池に対する太陽光の入射角度が向上されることができる。
【００１０】
例えば、実施例による太陽光発電装置は、太陽電池が透明基板に水平な場合より太陽電池に対する太陽光の入射角度を向上させることができる。
【００１１】
したがって、実施例による太陽光発電装置は、広い透過領域を有しながら、同時に向上された発電効率を有する。
【００１２】
また、実施例による太陽光発電装置は、建物の外壁及び戸障子などに使用されることができる。
【図面の簡単な説明】
【００１３】
【図１】図１は実施例による太陽光発電装置を示した分解斜視図である。
【図２】図２は実施例による太陽光発電装置を示した断面図である。
【図３】図３は他の実施例による太陽光発電装置の断面を示した断面図である。
【図４】図４は太陽電池を示した平面図である。
【図５】図５はでＡ−Ａ’に沿って切断した断面を示した断面図である。
【図６】図６は太陽電池らがお互いに連結される過程を示した図面である。
【図７】図７は太陽光が太陽電池に入射される過程を示した図面である。
【図８】図８はまた他の実施例による太陽電池を示した断面図である。
【図９】図９はまた他の実施例による太陽電池らがお互いに連結される過程を示した図面らである。
【発明を実施するための様態】
【００１４】
実施例の説明において、各パネル、配線、電池、装置、面またはパターンなどが各パターン、配線、電池、面またはパターンなどの“上(on)”にまたは“下(under)”に形成されるものとして記載する場合において、“上(on)”と“下(under)”は“直接(directly)”または“他の構成要素を介して(indirectly)”形成されることをすべて含む。また、各構成要素の上または下に対する基準は、図面を基準にして説明する。図面での各構成要素らの大きさは説明のために誇張されることがあるし、実際に適用される大きさを意味するものではない。
【００１５】
図１は、実施例による太陽光発電装置を示した分解斜視図である。図２は、実施例による太陽光発電装置を示した断面図である。図３は、他の実施例による太陽光発電装置の断面を示した断面図である。図４は、太陽電池を示した平面図である。図５は、図４でＡ−Ａ’に沿って切断した断面を示した断面図である。図６は、太陽電池らがお互いに連結される過程を示した図面である。図７は、太陽光が太陽電池に入射される過程を示した図面である。
【００１６】
図１乃至図７を参照すれば、実施例による太陽光発電装置は、第１透明基板１００、第２透明基板２００、多数個の太陽電池ら３００、多数個の接続部材ら４００及び密封部材５００を含む。
【００１７】
前記第１透明基板１００は透明であり、プレート形状を有する。前記第１透明基板１００は絶縁体である。前記第１透明基板１００は、例えば、ガラス基板またはプラスチック基板であることができる。さらに詳しくは、前記第１透明基板１００で使用される物質の例としては、ガラス、強化ガラスまたは透明なポリマーなどを挙げることができる。さらに詳しくは、第１前記透明基板で使用される物質の例としては、ポリメチルメタクリレート(polymethyl methacrylate：ＰＭＭＡ)、アクリロニトリルスチレン(acrylonitrile styrene：ＡＳ)、ポリスチレン(polystyrene：ＰＳ)、ポリカーボネート(polycarbonate：ＰＣ)、ポリエーテルスルホン(polyethersulfone：ＰＥＳ)、ポリアミド(polyamide：ＰＡ)、ポリエステルイミド(polyesterimide：ＰＥＩ)及びポリメチルペンテン(polymethylpentene：ＰＭＰ)などを挙げることができる。
【００１８】
前記第２透明基板２００は、前記第１透明基板１００上に配置される。前記第２透明基板２００は、前記第１透明基板１００に離隔されて、前記第１透明基板１００に対向する。
【００１９】
前記第２透明基板２００は透明であり、プレート形状を有する。前記第２透明基板２００は絶縁体である。前記第２透明基板２００は、例えば、ガラス基板またはプラスチック基板であることができる。さらに詳しくは、前記第２透明基板２００で使用される物質の例としては、ガラス、強化ガラスまたは透明なポリマーなどを挙げることができる。さらに詳しくは、第２前記透明基板で使用される物質の例としては、ポリメチルメタクリレート(polymethylmethacrylate：ＰＭＭＡ)、アクリロニトリルスチレン(acrylonitrilestyrene：ＡＳ)、ポリスチレン(polystyrene：ＰＳ)、ポリカーボネート(polycarbonate：ＰＣ)、ポリエーテルスルホン(polyethersulfone：ＰＥＳ)、ポリアミド(polyamide：ＰＡ)、ポリエステルイミド(polyesterimide：ＰＥＩ)及びポリメチルペンテン(polymethylpentene：ＰＭＰ)などを挙げることができる。
【００２０】
前記太陽電池ら３００は、前記第１透明基板１００上に配置される。さらに詳しくは、前記太陽電池ら３００は、前記第１透明基板１００及び前記第２透明基板２００の間に介される。前記太陽電池ら３００はお互いに対向されて、お互いに離隔される。前記太陽電池ら３００はお互いに平行に配置されることができる。前記太陽電池ら３００は、実質的に等しい間隔でお互いに離隔されることができる。すなわち、前記太陽電池ら３００は、お互いに対応される間隔で離隔されることができる。
【００２１】
図２及び図３に示されたところのように、前記太陽電池ら３００は前記第１透明基板１００及び前記第２透明基板２００と交差する。すなわち、前記太陽電池ら３００は、前記第１透明基板１００及び前記第２透明基板２００と垂直になるか、または、前記太陽電池ら３００は前記第１透明基板１００及び前記第２透明基板２００と傾斜になることができる。
【００２２】
例えば、図２に示されたところのように、前記第１及び第２透明基板１００、２００と前記太陽電池ら３００の間の角度は、およそ９０゜であることができる。また、図２に示されたところのように、前記太陽電池ら３００は前記第１及び第２透明基板１００、２００に対して、０゜より大きくて９０゜より小さな角度(θ)で傾斜になることができる。さらに詳しくは、前記第１及び第２透明基板１００、２００と前記太陽電池ら３００との間の角度(θ)は、およそ４５゜乃至およそ８５゜であることがある。
【００２３】
前記太陽電池ら３００の間の間隔及び前記太陽電池ら３００の傾いた程度(θ)が適当に調節されて、前記太陽電池ら３００に入射される光を調節することができる。前記太陽電池ら３００の間の間隔及び前記太陽電池ら３００の傾いた角度(θ)が調節されて、実施例による太陽光発電装置の光−電変換効率が最大化されることができる。
【００２４】
前記太陽電池ら３００は、太陽光の入射を受けて、電気エネルギーに変換させる。すなわち、前記太陽電池ら３００は太陽光を電気エネルギーに発電する発電部らである。前記太陽電池ら３００は、例えば、ＣＩＧＳ系太陽電池、シリコン系列太陽電池、染料感応系列太陽電池、ＩＩ−ＶＩ族化合物半導体太陽電池またはＩＩＩ−Ｖ族化合物半導体太陽電池であることができる。
【００２５】
例えば、前記太陽電池ら３００は、第１電極、該第１電極上に配置される光−電変換層及び前記光−電変換層上に配置される第２電極を含むことができる。ここで、光−電変換層は太陽光を吸収するための光吸収層である。
【００２６】
図４及び図５に示されたところのように、前記太陽電池ら３００は、支持基板３１０、裏面電極層３２０、光吸収層３３０、バッファ層３４０、高抵抗バッファ層３５０、ウィンドウ層３６０及び一つの、または複数個のグリッド電極ら３７０を含むことができる。
【００２７】
前記支持基板３１０は絶縁体であり、前記裏面電極層３２０、前記光吸収層３３０、前記バッファ層３４０、前記高抵抗バッファ層３５０、前記ウィンドウ層３６０及び前記グリッド電極ら３７０を支持する。前記支持基板３１０はフレキシブルであることができる。前記支持基板３１０は、ステンレス基板、ガラス基板またはプラスチック基板であることができる。
【００２８】
前記裏面電極層３２０は、前記支持基板３１０上に配置される。前記裏面電極層３２０は導電層である。前記裏面電極層３２０で使用される物質の例としては、モリブデンなどを挙げることができる。前記裏面電極層３２０は末端に形成されて、外部に露出される端子部３２１を含む。
【００２９】
前記光吸収層３３０は、前記裏面電極層３２０上に配置される。前記光吸収層３３０はＩ−ＩＩＩ−ＶＩ族系化合物を含む。例えば、前記光吸収層３３０は、銅−インジウム−ガリウム−セレナイド系（Ｃｕ（Ｉｎ、Ｇａ）Ｓｅ２と、ＣＩＧＳ系)結晶構造、銅−インジウム−セレナイド系または銅−ガリウム−セレナイド系結晶構造を有することができる。
【００３０】
前記光吸収層３３０のエネルギーバンドギャップ（band gap）は、およそ１ｅＶ乃至１．８ｅＶであることがある。
【００３１】
前記バッファ層３４０は、前記光吸収層３３０上に配置される。前記バッファ層３４０は、前記光吸収層３３０上に直接形成される。すなわち、前記バッファ層３４０は、前記光吸収層３３０に直接接触する。前記バッファ層３４０で使用される物質の例としては、硫化カドミウムなどを挙げることができる。
【００３２】
前記バッファ層３４０のエネルギーバンドギャップは、およそ２．０ｅＶ乃至およそ２．５ｅＶであることがある。前記バッファ層３４０の厚さはおよそ５０ｎｍ乃至およそ１５０ｎｍであることがある。
【００３３】
前記高抵抗バッファ層３５０は、前記バッファ層３４０上に配置される。前記高抵抗バッファ層３５０は不純物がドーピングされないジンクオキサイド（ｉ−ＺｎＯ）を含む。前記高抵抗バッファ層３５０のエネルギーバンドギャップは、およそ３．１ｅＶ乃至３．３ｅＶであることがある。
【００３４】
前記ウィンドウ層３６０は、前記高抵抗バッファ層３５０上に配置される。前記ウィンドウ層３６０は透明であり、導電層である。
【００３５】
前記ウィンドウ層３６０で使用される物質の例としては、アルミニウムがドーピングされたジンクオキサイド（Ａｌ doped ＺｎＯ：ＡＺＯ）または、インジウムティンオキサイド（indium tin oxide：ＩＴＯ）などを挙げることができる。
【００３６】
前記光吸収層３３０、前記バッファ層３４０、前記高抵抗バッファ層３５０及び前記ウィンドウ層３６０は、前記端子部３２１を露出させる。すなわち、前記端子部３２１には前記光吸収層３３０、前記バッファ層３４０、前記高抵抗バッファ層３５０及び前記ウィンドウ層３６０が配置されない。
【００３７】
前記グリッド電極ら３７０は、前記ウィンドウ層３６０上に配置される。前記グリッド電極ら３７０は前記ウィンドウ層３６０に接続される。前記グリッド電極ら３７０で使用される物質の例としては、銀（Ａｇ）などを挙げることができる。前記グリッド電極ら３７０は、前記ウィンドウ層３６０の電子収集能力を補助する。
【００３８】
例えば、前記太陽電池ら３００は、一方向に長く延長される形状を有して、前記接続部材ら４００は、前記太陽電池ら３００の末端に連結される。結局、前記太陽電池ら３００は長く延長される形状を有するために、高い抵抗を有する。すなわち、前記ウィンドウ層３６０は高い比抵抗を有するだけでなく、長く延長される形状を有するために、高い抵抗を有する。
【００３９】
これによって、前記光吸収層３３０から生成される電子は、前記ウィンドウ層３６０のみに沿って前記接続部材ら４００に移動されることが容易ではない。この時、前記グリッド電極ら３７０は、前記ウィンドウ層３６０に接続されて、相対的に低い抵抗を有するために、電子の移動を容易にする。すなわち、前記グリッド電極ら３７０は、前記太陽電池ら３００の全体的な抵抗を低めて、実施例による太陽光発電装置の光−電変換効率を向上させることができる。
【００４０】
前記グリッド電極ら３７０は、メイングリッド電極３７１及び複数個のサブグリッド電極ら３７２であることがある。前記メイングリッド電極３７１は、前記太陽電池ら３００が延長される方向に沿って長く延長される。前記サブグリッド電極ら３７２は、前記メイングリッド電極３７１らから、前記太陽電池ら３００が延長される方向に対して交差する方向に延長される。
【００４１】
前記太陽電池ら３００は、光が入射される面が上方を向けるように配置される。例えば、前記太陽電池ら３００は前記ウィンドウ層３６０が上方を向けるように配置される。
【００４２】
前記接続部材ら４００は、前記太陽電池ら３００をお互いに連結させる。前記接続部材ら４００は前記太陽電池ら３００を直列、並列または直並列で連結させることができる。前記接続部材ら４００は、導電テープまたは導電ワイヤであることがある。
【００４３】
前記接続部材ら４００は、前記第１透明基板１００の側面上に配置されることができる。すなわち、前記太陽電池ら３００は、前記透明基板の側面から突き出されて、前記接続部材ら４００は前記太陽電池ら３００の突き出された部分に接続されることができる。
【００４４】
これとは異なるように、前記接続部材ら４００は前記第１透明基板１００及び前記第２透明基板２００の間に介されることができる。
【００４５】
図６に示されたところのように、前記接続部材ら４００は前記端子部３２１及び前記グリッド電極ら３７０に接続される。例えば、第１接続部材４０１は、第１太陽電池３０１の端子部に接続されて、第２太陽電池３０２のグリッド電極らに接続される。また、第２接続部材４０２は、第２太陽電池３０２の端子部及び第３太陽電池３０３のグリッド電極らに接続される。このように、前記第１太陽電池３０１、前記第２太陽電池３０２及び前記第３太陽電池３０３は、前記第１接続部材４０１及び前記第２接続部材４０２によって直列で連結されることができる。
【００４６】
前記密封部材５００は前記第１透明基板１００及び前記第２透明基板２００の間に介される。前記密封部材５００は、前記第１透明基板１００及び前記第２透明基板２００の間に満たされる充填材である。また、前記密封部材５００は前記第１透明基板１００及び前記第２透明基板２００に接着される。よって、前記密封部材５００は、前記第１透明基板１００及び前記第２透明基板２００を合着させる接着剤である。
【００４７】
また、前記密封部材５００は前記太陽電池ら３００を支持する支持部材である。すなわち、前記密封部材５００によって、前記太陽電池ら３００は前記第１透明基板１００に所定の角度で交差するように、固定されることができる。
【００４８】
前記密封部材５００はそれぞれ前記太陽電池ら３００を取り囲む。前記密封部材５００は前記太陽電池ら３００を密封する。すなわち、前記密封部材５００は前記太陽電池ら３００に密着される。前記密封部材５００は前記太陽電池ら３００に湿り気などの異物が浸透することを防止する。
【００４９】
また、前記密封部材５００は前記接続部材ら４００を取り囲むことができる。すなわち、前記密封部材５００は前記接続部材ら４００に密着されることができる。前記密封部材５００は前記太陽電池ら３００及び前記接続部材ら４００を密封して、湿り気などの異物による腐食を防止することができる。
【００５０】
前記密封部材５００は透明であり、絶縁体である。前記密封部材５００で使用される物質の例としては、エチレンビニルアセテート（ethylene vinyl acetate：ＥＶＡ）などのような透明な樹脂などを挙げることができる。また、前記密封部材５００として使用される物質の例としては、熱可塑性樹脂、熱硬化性樹脂または光硬化性樹脂などを挙げることができる。
【００５１】
前記密封部材５００の屈折率、前記第１透明基板１００の屈折率及び前記第２透明基板２００の屈折率は、最適の光−電変換効率を具現するように適切に調節されることができる。すなわち、前記密封部材５００は実施例による太陽光発電装置の光学的特性を向上させるための光学部材であることができる。
【００５２】
例えば、前記密封部材５００は、前記第１透明基板１００及び前記第２透明基板２００より高い屈折率を有することができる。これとは異なるように、前記密封部材５００は、前記第１透明基板１００及び前記第２透明基板２００に対応する屈折率を有することができる。
【００５３】
また、実施例による太陽光発電装置は、前記第１透明基板１００及び前記第２透明基板２００の側面を取り囲むフレーム及び前記太陽電池ら３００から生成される電気エネルギーを接する太陽光発電装置または蓄電装置に伝達するためのジャンクションボックスなどをさらに含むことができる。
【００５４】
図７に示されたところのように、実施例による太陽光発電装置は立てられた状態で、戸障子などで使用されることができる。
【００５５】
この時、前記太陽電池ら３００は前記第１透明基板１００及び第２透明基板２００に垂直になるか、または傾斜になるために、実施例による太陽光発電装置は広い透過領域を有する。すなわち、前記太陽電池ら３００が透明基板に水平した場合より、実施例による太陽光発電装置は、さらに広い透過領域を有する。
【００５６】
さらに詳しくは、前記太陽電池ら３００が前記第１及び第２透明基板１００、２００に垂直である場合、前記太陽電池ら３００の側面に対応する部分を除いて、残り部分が透過領域になることができる。
【００５７】
また、実施例による太陽光発電装置が戸障子で使用される場合、外部から入射される太陽光は、効率的に前記太陽電池ら３００に入射されることができる。すなわち、実施例による太陽光発電装置が戸障子で使用される場合、前記第１透明基板１００及び前記第２透明基板２００は、一般的に地表面に対して垂直な方向に立てられる。この時、前記太陽電池ら３００は前記第１及び第２透明基板１００、２００に交差するので、前記太陽電池ら３００は最適の太陽光の入射角度を有するように配置されることができる。
【００５８】
図７に示されたところのように、実施例による太陽光発電装置は、前記太陽電池ら３００が前記第１及び第２透明基板１００、２００に水平した場合より、前記太陽電池ら３００に対する太陽光の入射角度を適切に調節することができる。
【００５９】
特に、前記密封部材５００の屈折率が前記第１透明基板１００の屈折率より一層大きい場合、前記密封部材５００及び前記第１透明基板１００の間の界面での全反射が減少される。また、前記密封部材５００の屈折率が前記第２透明基板２００の屈折率より一層大きい場合、前記密封部材５００及び前記第２透明基板２００の間の界面での反射する光が再び前記太陽電池ら３００に入射されることができる。
【００６０】
したがって、実施例による太陽光発電装置は、広い透過領域を有しながら、同時に向上された発電効率を有する。
【００６１】
また、実施例による太陽光発電装置は、建物の外壁及び戸障子などに使用されることができる。
【００６２】
図８は、また他の実施例による太陽電池を示した断面図である。図９は、また他の実施例による太陽電池らがお互いに連結される過程を示した図面らである。本実施例では前で説明した実施例を参照して、太陽電池ら及び接続部材に対してさらに説明する。前の実施例に対する説明は変更された部分を除いて、本実施例に対する説明に本質的に結合されることができる。
【００６３】
図８を参照すれば、太陽電池ら６００は、導電基板６２０、光吸収層６３０、バッファ層６４０、高抵抗バッファ層６５０、ウィンドウ層６６０及びグリッド電極ら６７０を含む。
【００６４】
前記導電基板６２０は導電性であり、フレキシブルである。前記導電基板６２０として使用される物質の例としては、銅、アルミニウムまたはこれらの合金などを挙げることができる。前記導電基板６２０は前記光吸収層６３０、前記バッファ層６４０、前記高抵抗バッファ層６５０、前記ウィンドウ層６６０及び前記グリッド電極ら６７０を支持する。
【００６５】
前記導電基板６２０は、裏面電極機能を遂行する。すなわち、前記導電基板６２０は前記光吸収層６３０に接続されて、前記光吸収層６３０から発生される電荷を受ける。
【００６６】
前記光吸収層６３０、前記バッファ層６４０、前記高抵抗バッファ層６５０、前記ウィンドウ層６６０及び前記グリッド電極ら６７０は、前記導電基板６２０上に順に積層される。
【００６７】
図９を参照すれば、前記接続部材らは、それぞれ前記グリッド電極ら６７０及び前記導電基板６２０に連結される。例えば、第１接続部材４０１は、第１太陽電池６０１の導電基板に接続されて、同時に、第２太陽電池４０２のグリッド電極らに連結される。また、第２接続部材４０２は前記第２太陽電池６０２の導電基板に連結されて、第３太陽電池６０３のグリッド電極らに連結される。
【００６８】
前記導電基板６２０は、裏面電極機能を遂行するとともに、支持基板機能も遂行する。よって、前記太陽電池ら６００は、支持基板を別に含まないために、非常に薄い厚さを有する。
【００６９】
したがって、本実施例による太陽光発電装置はさらに広い透過領域を有する。
【００７０】
また、前記太陽電池ら６００は端子部を別に形成する必要がない。これによって、前記太陽電池ら６００はお互いに容易に連結されることができる。
【００７１】
したがって、本実施例による太陽光発電装置は簡単な構造を有する。
【００７２】
また、以上で実施例らに説明された特徴、構造、効果などは本発明の少なくとも一つの実施例に含まれて、必ず一つの実施例のみに限定されるものではない。延いては、各実施例で例示された特徴、構造、効果などは実施例らが属する分野の通常の知識を有する者によって他の実施例らに対しても組合または変形されて実施可能である。したがって、このような組合と変形に係る内容らは、本発明の範囲に含まれるものとして解釈されなければならないであろう。
【００７３】
以上で実施例を中心に説明したが、これは単に例示であるだけで、本発明を限定するものではなくて、本発明が属する分野の通常の知識を有した者なら本実施例の本質的な特性を脱しない範囲で、以上で例示されない様々の変形と応用が可能であることが分かることができるであろう。例えば、実施例に具体的に現れた各構成要素は、変形して実施することができるものである。そして、このような変形と応用に係る差異点らは、添付された請求範囲で規定する本発明の範囲に含まれるものとして解釈されなければならないであろう。
【産業上の利用可能性】
【００７４】
実施例による太陽光発電装置は、太陽光発電分野に利用される。
【図１】
2013516065.tif 000003
【図２】
2013516065.tif 000004
【図３】
2013516065.tif 000005
【図４】
2013516065.tif 000006
【図５】
2013516065.tif 000007
【図６】
2013516065.tif 000008
【図７】
2013516065.tif 000009
【図８】
2013516065.tif 000010
【図９】
2013516065.tif 000011
【国際調査報告】
2013516065.tif 000012
2013516065.tif 000013
2013516065.tif 000014
2013516065.tif 000015